(57)【要約】【課題】本考案は、床，天井，壁等に敷設される電線，ケーブル等を保護するための配線保護カバーに関するものであり、強度が強く，軽量で取り扱いやすい、またリサイクル分別が容易で環境問題に配慮した配線保護カバーを提供することを目的としている。【解決手段】課題を解決するにあたり、本考案の配線保護カバー１は、長尺ベース２と合成樹脂部の表面に該合成樹脂部の肉厚よりも薄い金属を被覆させた長尺カバー５を嵌着させてケーブル等を配線するための配線路６を形成することにより構成させた。【選択図】図１
0003122581.tif 000002
【実用新案登録請求の範囲】
【請求項１】
長尺ベースと合成樹脂部の表面に金属を被覆させた長尺カバーを嵌着させてケーブル等を配線するための配線路を形成する配線保護カバーであって、該長尺カバーの表面金属部は合成樹脂部の肉厚よりも薄い金属で被覆されていることを特徴とした配線保護カバー。
【請求項２】
長尺ベースと合成樹脂部の表面に金属を被覆させた長尺カバーを嵌着させてケーブル等を配線するための配線路を形成する配線保護カバーであって、該長尺カバーの表面金属部は合成樹脂部の肉厚よりも薄く、長手方向に沿う両端縁を内側に折り返した折り返し部を設け、該折り返し部は該合成樹脂部に嵌着させて一体とすることを特徴とした配線保護カバー。
【考案の詳細な説明】
【技術分野】
【０００１】
本考案は、床，天井，壁等に敷設される電線，ケーブル等を保護するための配線保護カバーに関する。
【背景技術】
【０００２】
従来の配線保護カバーは合成樹脂製の長尺ベースと合成樹脂製の長尺カバー，金属製の長尺ベースと金属製の長尺カバーなど同材質のものを組合わせて形成されていた。また、合成樹脂製同士の組合せでも、強度を補強するために合成樹脂製の長尺カバーを、金属を合成樹脂で被覆して形成されているものがあった。
【０００３】
しかしながら、合成樹脂製の長尺ベースと合成樹脂製の長尺カバーで形成された配線保護カバーは強度が弱く、金属製の長尺カバーと金属製の長尺ベースで形成された配線保護カバーは強度が強い反面、重量で取り扱い難いという欠点があった。また、金属を合成樹脂で被覆して形成された長尺カバーは、使用後のリサイクル分別が難しいという欠点があった。
【考案の開示】
【考案が解決しようとする課題】
【０００４】
本考案は以上のような従来の欠点に鑑み、強度は強く，軽量で取り扱いやすい、またリサイクル分別が容易で環境問題に配慮した配線保護カバーを提供することを目的としている。
【課題を解決するための手段】
【０００５】
上記目的を達成するために、本考案の配線保護カバーは、長尺ベースと合成樹脂部の表面に該合成樹脂部の肉厚よりも薄い金属を被覆させた長尺カバーを嵌着させてケーブル等を配線するための配線路を形成している。
【考案の効果】
【０００６】
以上の説明から明らかなように、本考案にあっては次に列挙する効果が得られる。
【０００７】
長尺カバーは表面が金属で被覆されている構成なので、合成樹脂製同士で形成された配線保護カバーよりも表面硬度は硬く、強度の強い配線保護カバーを形成することができる。
【０００８】
また、長尺カバーは合成樹脂部とその表面を合成樹脂部の肉厚よりも薄い金属で被覆した構成なので、長尺ベースを合成樹脂で成形した場合、金属製同士で形成された配線保護カバーよりも軽量であるため、運搬・施工等における取り扱いを楽にすることができる。施工においては、金属製同士で形成された配線保護カバーは重量のため、両面テープでの施工では落下の恐れがあり、ビス，釘等で固定しなければならないが、本考案の配線保護カバーは軽量であるため、合成樹脂同士で形成された配線保護カバーの施工のように、両面テープで施工することが可能である。また、金属製同士で形成された配線保護カバーの切断には金属切断用回転ノコギリ等を用いて切断するか専用の大型切断機が必要であるが、本考案の配線保護カバーはそれに比べ、合成樹脂配線保護カバー用の切断工具にて容易に切断が可能である。
【０００９】
長尺ベースは、上述した効果が得られる材質であればよく、合成樹脂に限定しない。例えば、長尺カバーと同様な形態をとって、樹脂部の外側に金属部を被覆しても良いし、逆に合成樹脂部の内側に金属を被覆してもよい。また、薄い金属でもよい。
【００１０】
請求項２においては、長尺カバーの表面金属部は長手方向に沿う両端縁を内側に折り返した折り返し部を設け、その折り返し部を該合成樹脂部に嵌着させて一体とする方法をとっている。そのため、前述した効果が得られるとともに、合成樹脂部と金属部を別々に成形しても、合成樹脂部の上面から簡単に金属部を嵌着できる上に、より強固に一体にすることができるので、接着剤等を用いて接着して一体とする必要がなく、廃棄処理する場合は合成樹脂と金属を容易に分離可能であるため、リサイクル分別が容易である。
【考案を実施するための最良の形態】
【００１１】
以下、図面に示す本考案を実施するための最良の形態により、本考案を詳細に説明する。
【実施例１】
【００１２】
図１ないし図３に示す本考案の実施例１について説明する。本考案の配線保護カバー１は、の長尺ベース２と合成樹脂部３の表面に合成樹脂部より肉厚の薄い金属部４を被覆した長尺カバー５を嵌着させてケーブル等を配線するための配線路６を形成することにより構成されている。
【００１３】
前記長尺ベース２は、前記長尺カバー５を嵌着させる際にケーブル７が該長尺ベース２から飛び出して挟まないように収容するために、底板から対向する略Ｃの字の壁２ａ、２ｂを形成している。
【００１４】
図３に示すように、上記構成の配線保護カバー１は、床，天井，壁等に敷設されるケーブル等を保護するために使用するもので、まず、合成樹脂製の長尺ベース２を、両面テープ等を用いて適所に布設してケーブル７を収容する。次に、長尺カバー５を前記合成樹脂製の長尺ベース２に嵌着させて使用する。
【実施例２】
【００１５】
次に、図４に示す本考案を示す実施例２について説明する。なお、これらを説明するに当って、前記実施例１と同一構成部分には同一符号を付して重複する説明を省略する。
【００１６】
図４に示す本発明を実施するための実施例２の形態において、前記実施例１と異なる点を以下に説明する。
【００１７】
長尺カバー５における合成樹脂部３は表面に金属部４を嵌着させるための凹部３ｃ、３ｄを形成し、前記金属部４は長手方向に沿う両端縁を内側に折り返した折り返し部４ａ、４ｂを設け、対向する側壁を内側に傾斜させている。
【００１８】
前記長尺カバー５は、前記合成樹脂部３に前記金属部４を嵌着させることにより形成される。
【００１９】
上記実施例２の構成の配線保護カバー１も実施例１と同様に使用される。その上、実施例２においては、使用後に廃棄処理する場合に合成樹脂部と金属部の分別を更に容易に可能とし、環境問題を配慮している。
【産業上の利用可能性】
【００２０】
本考案は床，天井，壁等に敷設される電線，ケーブル等を保護するための配線保護に利用される。
【図面の簡単な説明】
【００２１】
【図１】本考案実施例１の配線保護カバーの端面図
【図２】本考案実施例１の配線保護カバーの斜視図
【図３】本考案実施例１の配線保護カバーの使用状態説明図
【図４】本考案実施例２に係る長尺カバーの説明図
【符号の説明】
【００２２】
１：配線保護カバー、２：長尺ベース、２ａ、２ｂ：壁、３：合成樹脂部、３ａ、３ｂ：突起部、３ｃ、３ｄ：凹部、４：金属部、５：長尺カバー、６：配線路、７：ケーブル
【図１】
0003122581.tif 000003
【図２】
0003122581.tif 000004
【図３】
0003122581.tif 000005
【図４】
0003122581.tif 000006